(57)【要約】【課題】電池セルを支持する支持部材の設計の自由度を高めることの可能な電池パックを提供する。【解決手段】電池セル１５をケースに収容した電池パック１０であって、前記ケース内に、電池セル１５の側面を支持する第１セパレータ２０と、電池セル１５の長手方向の一方側で電池セル１５の一部を支持する第２セパレータ３０と、電池セル１５の長手方向の他方側に設けられ、対象機器との接続用の端子４１〜４４を保持するターミナルホルダ４０と、を備える。第１セパレータ２０は、サーミスタ等の温度検出部材を支持する支持部２２を有する。【選択図】図４
2018005995.tif 000002
【特許請求の範囲】
【請求項１】
電池セルをケースに収容した電池パックであって、前記ケース内に、
前記電池セルの側面を支持する第１支持部材と、
前記電池セルの長手方向の一方側で前記電池セルの一部を支持する第２支持部材と、
前記電池セルの長手方向の他方側に設けられ、対象機器との接続用の端子を保持するターミナルホルダと、を備えることを特徴とする、電池パック。
【請求項２】
前記ケース内において前記電池セルの長手方向の前記一方側に設けられ、前記電池セルの充電及び放電を制御する制御基板を備え、
前記第２支持部材は、前記制御基板を非接触で覆うことを特徴とする、請求項１に記載の電池パック。
【請求項３】
前記制御基板を収容する基板ホルダを備えることを特徴とする、請求項２に記載の電池パック。
【請求項４】
前記制御基板は、前記電池セルの長手方向延長上において前記長手方向と略垂直に設けられることを特徴とする、請求項２又は３に記載の電池パック。
【請求項５】
前記制御基板は、前記電池セルの長手方向と略平行に設けられ、前記長手方向における位置が前記電池セルと少なくとも部分的に重複することを特徴とする、請求項２又は３に記載の電池パック。
【請求項６】
前記電池セルの温度を検出する温度検出部材を備え、
前記第１支持部材は、前記温度検出部材を前記電池セルの側面と近接あるいは接触するように支持する支持部を有することを特徴とする、請求項１乃至５のいずれか一項に記載の電池パック。
【請求項７】
前記電池セルを少なくとも２つ備え、
前記支持部は、隣り合う電池セルの側面間に前記温度検出部材を支持することを特徴とする、請求項６に記載の電池パック。
【請求項８】
前記第１支持部材と前記第２支持部材との合わせ部が凹凸形状であることを特徴とする請求項１乃至７のいずれか一項に記載の電池パック。
【請求項９】
前記凹凸形状は、前記第１支持部材と前記第２支持部材が所定の相対回転位置にある場合に嵌り合い、他の相対回転位置にある場合には嵌り合わないことを特徴とする、請求項８に記載の電池パック。
【請求項１０】
前記第１支持部材と前記第２支持部材との合わせ部の、前記電池セルの側面に臨む部分が、面取り形状とされていることを特徴とする、請求項１乃至９のいずれか一項に記載の電池パック。
【請求項１１】
前記第１支持部材と前記第２支持部材との合わせ部の一部に隙間が設けられることを特徴とする、請求項１乃至１０のいずれか一項に記載の電池パック。
【請求項１２】
前記電池セルの端子と接続された端子部材が、前記隙間を通って側方に延出することを特徴とする、請求項１１に記載の電池パック。
【請求項１３】
電池セルをケースに収容した電池パックであって、前記ケース内に、
電池セルと、
前記電池セルを支持する支持部材と、
前記電池セルの長手方向の一方側に設けられ、前記電池セルの充電及び放電を制御する制御基板と、
前記電池セルの長手方向の他方側に設けられ、対象機器との接続用の端子を保持するターミナルホルダと、を備え、
前記制御基板が、前記支持部材と非接触で前記ケース内に設けられることを特徴とする、電池パック。
【請求項１４】
前記支持部材は、前記電池セルの側面を支持する第１支持部材と、前記電池セルの長手方向の前記一方側で前記電池セルの一部を支持する第２支持部材と、を有することを特徴とする、請求項１３に記載の電池パック。
【請求項１５】
請求項１乃至１４のいずれか一項に記載の電池パックを着脱可能に装着した電動工具であって、
前記電池パックの前記電池セルから電力供給を受けるモータと、
前記モータの起動及び停止を指示するスイッチと、を備えることを特徴とする、電動工具。
【発明の詳細な説明】
【技術分野】
【０００１】
本発明は、電動工具等の対象機器に装着する電池パック、及び電池パックを装着する電動工具に関する。
【背景技術】
【０００２】
近年、コードレス電動工具を駆動する電池パックには、高容量化及び軽量化が可能なリチウムイオン二次電池が広く使用されている。電池パックは、外郭を成すケース内に、充放電可能な電池セル、電池セルを支持する支持部材（セパレータ）、電動工具と電池セルを接続させる接続端子、及び充放電の制御等を行う制御基板を備える。支持部材は、電池セルを正しい配置に固定する役割を持つ。詳細には、支持部材は、例えば絶縁樹脂成形体であり、各電池セルを覆い、電池セル同士が接触しないよう電池セル間の距離を一定に保つと共に、制御基板及び電池セルから配線されたリードワイヤーや組立作業時に使用する工具類等の他部品が電池セルと接触するのを防いでいる。
【先行技術文献】
【特許文献】
【０００３】
【特許文献１】特開２０１５−０５０８３３号公報
【発明の概要】
【発明が解決しようとする課題】
【０００４】
電池パックの高機能化に伴い、電池パック内に設けられるリードワイヤーの本数は増える傾向にある。また、電池セルの温度を高精度で検出するためには、サーミスタ等の温度検出部材を電池セルに近接あるいは接触させて支持する必要がある。これらの観点から、支持部材には、電池セルを支持するだけでなく、リードワイヤーのガイド構造や、温度検出部材の支持構造等、様々な追加構造が求められている。しかし、外郭を成すケースと支持部材との間の距離は近く、従来の構成では限られたスペースに追加構造を設けることが難しいという問題があった。また、電池パックの高出力化により電池セルからの発熱が大きくなっており、電池セルから制御基板に伝わる熱による悪影響が問題となっていた。
【０００５】
本発明はこうした状況を認識してなされたものであり、その第１の目的は、電池セルを支持する支持部材の設計の自由度を高めることの可能な電池パック及びそれを装着した電動工具を提供することにある。
【０００６】
本発明の第２の目的は、電池セルから制御基板に伝わる熱を抑制することの可能な電池パック及びそれを装着した電動工具を提供することにある。
【課題を解決するための手段】
【０００７】
本発明の第１の態様は、電池パックである。この電池パックは、
電池セルをケースに収容した電池パックであって、前記ケース内に、
前記電池セルの側面を支持する第１支持部材と、
前記電池セルの長手方向の一方側で前記電池セルの一部を支持する第２支持部材と、
前記電池セルの長手方向の他方側に設けられ、対象機器との接続用の端子を保持するターミナルホルダと、を備えることを特徴とする。
【０００８】
前記ケース内において前記電池セルの長手方向の前記一方側に設けられ、前記電池セルの充電及び放電を制御する制御基板を備え、
前記第２支持部材は、前記制御基板を非接触で覆ってもよい。
【０００９】
前記制御基板を収容する基板ホルダを備えてもよい。
【００１０】
前記制御基板は、前記電池セルの長手方向延長上において前記長手方向と略垂直に設けられてもよい。
【００１１】
前記制御基板は、前記電池セルの長手方向と略平行に設けられ、前記長手方向における位置が前記電池セルと少なくとも部分的に重複してもよい。
【００１２】
前記電池セルの温度を検出する温度検出部材を備え、
前記第１支持部材は、前記温度検出部材を前記電池セルの側面と近接あるいは接触するように支持する支持部を有してもよい。
【００１３】
前記電池セルを少なくとも２つ備え、
前記支持部は、隣り合う電池セルの側面間に前記温度検出部材を支持してもよい。
【００１４】
前記第１支持部材と前記第２支持部材との合わせ部が凹凸形状であってもよい。
【００１５】
前記凹凸形状は、前記第１支持部材と前記第２支持部材が所定の相対回転位置にある場合に嵌り合い、他の相対回転位置にある場合には嵌り合わなくてもよい。
【００１６】
前記第１支持部材と前記第２支持部材との合わせ部の、前記電池セルの側面に臨む部分が、面取り形状とされてもよい。
【００１７】
前記第１支持部材と前記第２支持部材との合わせ部の一部に隙間が設けられてもよい。
【００１８】
前記電池セルの端子と接続された端子部材が、前記隙間を通って側方に延出してもよい。
【００１９】
本発明の第２の態様は、電池パックである。この電池パックは、
電池セルをケースに収容した電池パックであって、前記ケース内に、
電池セルと、
前記電池セルを支持する支持部材と、
前記電池セルの長手方向の一方側に設けられ、前記電池セルの充電及び放電を制御する制御基板と、
前記電池セルの長手方向の他方側に設けられ、対象機器との接続用の端子を保持するターミナルホルダと、を備え、
前記制御基板が、前記支持部材と非接触で前記ケース内に設けられることを特徴とする。
【００２０】
前記支持部材は、前記電池セルの側面を支持する第１支持部材と、前記電池セルの長手方向の前記一方側で前記電池セルの一部を支持する第２支持部材と、を有してもよい。
【００２１】
本発明の第３の態様は、前記電池パックを着脱可能に装着した電動工具であって、
前記電池パックの前記電池セルから電力供給を受けるモータと、
前記モータの起動及び停止を指示するスイッチと、を備えることを特徴とする。
【００２２】
なお、以上の構成要素の任意の組合せ、本発明の表現を方法やシステムなどの間で変換したものもまた、本発明の態様として有効である。
【発明の効果】
【００２３】
本発明の第１の態様によれば、電池セルを支持する支持部材の設計の自由度を高めることの可能な電池パックを提供することができる。
【００２４】
本発明の第２の態様によれば、電池セルから制御基板に伝わる熱を抑制することの可能な電池パックを提供することができる。
【図面の簡単な説明】
【００２５】
【図１】本発明の実施の形態１に係る電池パック１０の斜視図。
【図２】電池パック１０の分解斜視図。
【図３】電池パック１０の背断面図。
【図４】電池パック１０のケース内（上ケース１１及び下ケース１２の内部）の斜視図。
【図５】電池パック１０のケース内の正面図。
【図６】図５のＡ−Ａ断面図。
【図７】電池パック１０のケース内の背面図。
【図８】電池パック１０のケース内における第１セパレータ２０及び第２セパレータ３０の合わせ部の拡大断面図。
【図９】電池パック１０を装着した電動工具１の側面図。
【図１０】図１０（Ａ）は、本発明の実施の形態２に係る電池パックのケース内の正面図。図１０（Ｂ）は、図１０（Ａ）のＢ−Ｂ断面図。
【図１１】図１１（Ａ）は、本発明の実施の形態３に係る電池パックのケース内の正面図。図１１（Ｂ）は、図１１（Ａ）のＣ−Ｃ断面図。
【発明を実施するための形態】
【００２６】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２７】
実施の形態１
図１〜図９を参照し、本発明の実施の形態１の電池パック１０及びそれを装着した電動工具１について説明する。図９に示すように、電動工具１のハウジング２は、Ｔ型ハウジングであって、モータを収容する胴体部（筒状部）２ａ、胴体部２ａから下方に延びるハンドル部２ｂ、及びハンドル部２ｂの下端部に設けられた電池パック装着部２ｃを含む。胴体部２ａの前方には、図示しないドライバビット等の先端工具を装着するための先端工具保持部８が設けられる。ハンドル部２ｂには、胴体部２ａ内のモータの起動及び停止を支持するスイッチ（トリガ）７が設けられる。電池パック装着部２ｃには、電池パック１０が着脱可能に装着される。使用者がスイッチ７を操作すると、電池パック１０から胴体部２ａ内のモータに電力が供給され、前記モータが回転する。前記モータの回転により、先端工具保持部８に保持された先端工具が回転する。
【００２８】
電池パック１０は、差込式であって、電池パック装着部２ｃに下方から差し込んで装着される。ラッチ部材（係止部材）１３により、電池パック１０が電池パック装着部２ｃに係止（固定）される。詳細には、図３に示すように、ラッチ部材１３は、ラッチ操作部１３ａ、ラッチ爪部１３ｂ、軸部１３ｃ、及びスプリング１３ｄを含み、軸部１３ｃによって電池パック１０の下ケース１２に回動可能に支持される。スプリング１３ｄは、ラッチ爪部１３ｂに、外側に回動する付勢力（電動工具１の電池パック装着部２ｃの図示しない係止部との係合する方向の付勢力）を与える。使用者は、ラッチ操作部１３ａを押すことで、スプリング１３ｄの付勢に抗してラッチ爪部１３ｂを内側に回動させ、ラッチ爪部１３ｂと電池パック装着部２ｃの図示しない係止部との係合を解除し、電池パック１０を電動工具１から外すことができる。
【００２９】
電池パック１０は、外装ケース（外郭）を構成する上ケース１１及び下ケース１２の内部に、リチウムイオン二次電池等の電池セル１５、第１支持部材としての第１セパレータ２０、第２支持部材としての第２セパレータ３０、ターミナルホルダ４０、制御基板５０、及び基板ホルダ５１を備える。上ケース１１及び下ケース１２は、例えば絶縁樹脂成形体であって、相互に組み合わされることで電池セル１５等を収容する内部空間を形成する。電池セル１５は、ここでは２本であり、互いに平行になるように並べて配置される。
【００３０】
第１セパレータ２０及び第２セパレータ３０は、例えば絶縁樹脂成形体であり、上ケース１１及び下ケース１２の内部において電池セル１５を所定位置に支持する。詳細には、第１セパレータ２０及び第２セパレータ３０は、各電池セル１５を覆い、電池セル１５同士が接触しないよう電池セル１５間の距離を一定に保つと共に、制御基板５０及び電池セル１５から配線された所定数のリードワイヤー１７（図３及び図４）や組立作業時に使用する図示しない工具類等の他部品が電池セル１５と接触するのを防止する。
【００３１】
第１セパレータ２０は、カバー部２１、支持部２２、リブ２３、回り止め凸部２４，２５（図５、図７）を有する。カバー部２１は、各電池セル１５の側面（外周面）を支持する（覆う）。支持部２２は、図５及び図６に示すようにサーミスタ等の温度検出部材１６を電池セル１５の側面と近接あるいは接触するように支持（保持）する。詳細には、支持部２２は、例えば上端が塞がった半円筒状等のトンネル形状であり、温度検出部材１６の少なくとも一部を収容し、隣り合う電池セル１５の側面間に温度検出部材１６を支持する。支持部２２は、温度検出部材１６を電池セル１５の側面に密着させてもよい。温度検出部材１６は、電池セル１５の温度を検出する。リブ２３は、支持部２２の外側面から立ち上がる部分を有し、図４に示すようにリードワイヤー１７をガイドする。図５及び図７に示すように、回り止め凸部２４，２５は、カバー部２１の下端部（第２セパレータ３０との合わせ部）に設けられ、第２セパレータ３０の回り止め凹部３４,３５と嵌合し、第１セパレータ２０が第２セパレータ３０に対して回転するのを防止する。
【００３２】
第２セパレータ３０は、ベース部３０ａ、カバー部３１、貫通穴３２,３３（図４）、回り止め凹部３４,３５（図５、図７）、リブ３６,３７（図２）、基板収容部３９（図３）を有する。ベース部３０ａは、上面が電池セル１５の下端面を支持する支持面であると共に、後述の制御基板５０及び基板ホルダ５１を収容するための空間である基板収容部３９（図３）を電池セル１５の下方に有する。カバー部３１は、ベース部３０ａの上面から立ち上がり、各電池セル１５の側面（外周面）のうち、第１セパレータ２０のカバー部２１が支持していない部分を支持する（覆う）。貫通穴３２,３３は、ベース部３０ａの上面に開口し、図４に示すように、リードワイヤー１７を通すために設けられる。図５及び図７に示すように、回り止め凹部３４,３５は、カバー部３１の上端部（第１セパレータ２０との合わせ部）に設けられ、第１セパレータ２０の回り止め凸部２４,２５と嵌合し、第２セパレータ３０が第１セパレータ２０に対して回転するのを防止する。なお、第１セパレータ２０の回り止め凸部２４，２５と、第２セパレータ３０の回り止め凹部３４,３５は、図５及び図７に示す相対回転位置では互いに嵌り合う一方、他の相対回転位置（例えば図５及び図７に対して１８０度回転させた位置）では嵌り合わない。このため、第１セパレータ２０及び第２セパレータ３０の逆組が防止される。図２のリブ３６,３７は、ベース部３０ａの上面に形成され、後述のタブ（端子部材）４６,４７をベース部３０ａの上面から浮かせるために設けられる。
【００３３】
図８に示すように、第１セパレータ２０と第２セパレータ３０との合わせ部（カバー部２１の下端部とカバー部３１の上端部）の、電池セル１５の側面に臨む部分（内径エッジ部）は、面取り形状部２１ａ,３１ａとされている。面取り形状部２１ａ,３１ａは、第１セパレータ２０及び第２セパレータ３０に曲げの力が加わった際に、カバー部２１,３１の角部が電池セル１５の側面を傷付けることを抑制するために設けられる。面取り形状部２１ａ,３１ａは、直線的な斜面であってもよいし、曲面（Ｒ）であってもよい。
【００３４】
図４、図５、及び図７に示すように、第１セパレータ２０及び第２セパレータ３０の合わせ部の一部には、隙間２８,２９が設けられる。詳細には、第２セパレータ３０のカバー部３１は、ベース部３０ａの上面における電池セル１５の周方向の一部からは立ち上がらず、当該一部と第１セパレータ２０のカバー部２１との間に隙間２８,２９が存在する。タブ４６,４７はそれぞれ、第２セパレータ３０のベース部３０ａ上に設けられた板状金属であって、電池セル１５の下端側の端子に接続され、隙間２８,２９を通ってカバー部３１の側方に延出する。タブ４６,４７には、それぞれリードワイヤー１７の一端が半田付け等により接続される。
【００３５】
ターミナルホルダ４０は、電池セル１５の上端側に設けられ、対象機器（例えば図９の電動工具１）との接続用の端子４１〜４４を保持する。端子４１〜４４にはそれぞれ、板状金属であって、リードワイヤー１７の一端が接続される。電池セル１５の上端側の端子とターミナルホルダ４０との間には、タブ（端子部材）４５が設けられる。タブ４５は、板状金属であり、隣り合う電池セル１５の上端側の端子同士を接続すると共に、その接続点の電圧を取り出すために設けられる。タブ４５にはリードワイヤー１７の一端が接続される。端子４１〜４４は、上ケース１１の上端に設けられた端子穴１１ａからそれぞれ露出している。
【００３６】
制御基板５０は、第２セパレータ３０の基板収容部３９内かつ電池セル１５の長手方向延長上において、前記長手方向と略垂直に設けられる。制御基板５０は、電池セル１５の充電及び放電を制御する。制御基板５０は、ネジ５０ａによって基板ホルダ５１に固定され、基板ホルダ５１内に収容され、第２セパレータ３０とは非接触である（離間している）。すなわち、第２セパレータ３０は、制御基板５０を非接触で覆う。すなわち、第２セパレータ３０の基板収容部３９内には、制御基板５０がネジ止めされた基板ホルダ５１が収容されている。制御基板５０には、各リードワイヤー１７の他端が接続されると共に、温度検出部材１６も接続される。基板ホルダ５１内は、ウレタンが充填される。図３に示す基板ホルダ５１内のハッチングは、ウレタンが充填されていることを示している。
【００３７】
本実施の形態によれば、下記の効果を奏することができる。
【００３８】
(1) セパレータ（支持部材）が、第１セパレータ２０及び第２セパレータ３０からなる分割構造であるため、成形の自由度が高められ、限られたスペースに様々な追加構造を設けることができる。具体的には、温度検出部材１６を支持する支持部２２や、リードワイヤー１７をガイドするリブ２３等、単一セパレータでは形成が困難であった構造を追加することができる。ここで、支持部２２は、トンネル形状であり、温度検出部材１６を電池セル１５の側面から離れないように保持（固定）することができる。
【００３９】
(2) 第１セパレータ２０及び第２セパレータ３０は、上下方向において互いに分割されているため、曲げの力が加わった場合にも、折れるリスクが抑制される。また、第１セパレータ２０のカバー部２１及び第２セパレータ３０のカバー部３１の内径エッジ部が面取り形状部２１ａ,３１ａとされているため、曲げの力が加わった場合に内径エッジ部が電池セル１５の側面に食い込んで当該側面を傷つけることを抑制できる。
【００４０】
(3) 第１セパレータ２０及び第２セパレータ３０を分割構造としたことで形成できた隙間２８,２９を利用して、電池セル１５の下端側の端子に接続されたタブ４６,４７をカバー部３１の側方に延出させることができるため、セパレータにより電池セル１５を保護しつつタブ４６,４７を配置することができる。
【００４１】
(4) 制御基板５０が第２セパレータ３０と非接触であるため、電池セル１５の熱が制御基板５０に伝わりにくく、制御基板５０の温度上昇を抑制できる。
【００４２】
(5) 制御基板５０（基板ホルダ５１）が第２セパレータ３０に覆われるため、防水効果が得られる。雨水等が端子穴１１ａ等からケース内に浸入しても、第２セパレータ３０が雨樋となって基板ホルダ５１内への浸入を抑制することができる。基板ホルダ５１にはウレタンが充填されているため、制御基板５０は第２セパレータ３０とウレタンによって、雨水等の浸入を確実に防止することができる。
【００４３】
(6) 第１セパレータ２０と第２セパレータ３０の合わせ部を凹凸形状（回り止め凸部２４，２５及び回り止め凹部３４,３５）としており、第１セパレータ２０と第２セパレータ３０の相互回転位置を固定できるとともに、前記凹凸形状の非対称性により第１セパレータ２０と第２セパレータ３０の逆組も防止できる。
【００４４】
実施の形態２
図１０（Ａ）は、本発明の実施の形態２に係る電池パックのケース内の正面図である。図１０（Ｂ）は、図１０（Ａ）のＢ−Ｂ断面図である。本実施の形態の電池パックでは、実施の形態１のものと異なり、基板ホルダ５１が無く、制御基板５０が２つの制御基板５０ｂに分割され、各制御基板５０ｂが電池セル１５の長手方向と略平行に設けられ、前記長手方向における各制御基板５０ｂの位置と電池セル１５の位置が少なくとも部分的に重複する。各制御基板５０ｂは、第２セパレータ３０に直接取り付けられ、第２セパレータ３０のカバー部３１の前後にそれぞれ設けられた基板収容部３９に収容保持される。基板収容部３９には、ウレタンが充填される。図１０（Ｂ）に示す基板収容部３９内のハッチングは、ウレタンが充填されていることを示している。第２セパレータ３０の配線用穴３８は、図示しないリードワイヤーを引き出すために設けられる。本実施の形態のその他の点は、実施の形態１と同様である。本実施の形態では、各制御基板５０ｂが第２セパレータ３０と接触する関係で電池セル１５からの熱が各制御基板５０ｂに伝わりやすくなるが、その他の点においては実施の形態１と同様の効果を奏することができる。
【００４５】
実施の形態３
図１１（Ａ）は、本発明の実施の形態３に係る電池パックのケース内の正面図である。図１１（Ｂ）は、図１１（Ａ）のＣ−Ｃ断面図である。本実施の形態の電池パックでは、実施の形態１のものと異なり、基板ホルダ５１が無く、制御基板５０が第２セパレータ３０に直接取り付けられる。図１１（Ｂ）に示す基板収容部３９内のハッチングは、ウレタンが充填されていることを示している。第２セパレータ３０の配線用穴３８は、図示しないリードワイヤーを引き出すために設けられる。本実施の形態のその他の点は、実施の形態１と同様である。本実施の形態では、各制御基板５０ｂが第２セパレータ３０と接触する関係で電池セル１５からの熱が各制御基板５０ｂに伝わりやすくなるが、その他の点においては実施の形態１と同様の効果を奏することができる。
【００４６】
以上、実施の形態を例に本発明を説明したが、実施の形態の各構成要素や各処理プロセスには請求項に記載の範囲で種々の変形が可能であることは当業者に理解されるところである。以下、変形例について触れる。
【００４７】
実施の形態１の構成において、セパレータは分割構造に限定されない。この場合、分割構造にしたことによるメリットは無くなるが、制御基板５０がセパレータ３０と非接触であることによる電池セル１５から制御基板５０への熱伝導抑制効果は得られる。
【符号の説明】
【００４８】
１  電動工具（対象機器）、２  ハウジング、２ａ  胴体部（筒状部）、２ｂ  ハンドル部、２ｃ  電池パック装着部、７  スイッチ（トリガ）、８  先端工具保持部、
１０  電池パック、１１  上ケース、１１ａ  端子穴、１２  下ケース、１３  ラッチ部材（係止部材）、１３ａ  ラッチ操作部、１３ｂ  ラッチ爪部、１３ｃ  軸部、１３ｄ  スプリング、１５  電池セル、１６  温度検出部材、１７  リードワイヤー、
２０  第１セパレータ（第１支持部材）、２１  カバー部、２１ａ  面取り形状部、２２  支持部、２３  リブ、２４,２５  回り止め凸部、２８,２９  隙間、
３０  第２セパレータ（第２支持部材）、３０ａ  ベース部、３１  カバー部、３１ａ  面取り形状部、３２,３３  貫通穴、３４,３５  回り止め凹部、３６,３７  リブ、３８  配線用穴、３９  基板収容部、
４０  ターミナルホルダ、４１〜４４  工具接続用端子、４５〜４７  タブ（端子部材）、５０  制御基板、５０ａ  ネジ、５１  基板ホルダ
【図１】
2018005995.tif 000003
【図２】
2018005995.tif 000004
【図３】
2018005995.tif 000005
【図４】
2018005995.tif 000006
【図５】
2018005995.tif 000007
【図６】
2018005995.tif 000008
【図７】
2018005995.tif 000009
【図８】
2018005995.tif 000010
【図９】
2018005995.tif 000011
【図１０】
2018005995.tif 000012
【図１１】
2018005995.tif 000013